(57)【要約】【課題】消灯時における蛍光体層の外観色の制御が容易なＬＥＤ発光装置を提供すること。【解決手段】ＬＥＤ発光装置１の蛍光体層１３は、ＬＥＤ１０に近い側から黄色蛍光体層１３ａ、赤色蛍光体層１３ｂ、青色蛍光体層１３ｃの順に積層された構造である。青色蛍光体層１３ｃの厚さおよび蛍光体濃度は、外光によって黄色蛍光体層１３ａ、赤色蛍光体層１３ｂが励起されて黄色光、赤色光を発した場合に、その黄色光、赤色光が青色蛍光体層４３ｂを透過しない値に設定されている。したがって、ＬＥＤ発光装置１消灯時における蛍光体層１３の外観色は、青色蛍光体層１３ｃの外観色である白色となる。ＬＥＤ発光装置１は白色発光であり、消灯時における蛍光体層１３の外観色と一致するため、外観品質が高い。【選択図】図１
2010087267.tif 000002
【特許請求の範囲】
【請求項１】
ＬＥＤと、複数の積層された蛍光体層とを有し、前記蛍光体層の発光色がそれぞれ異なるＬＥＤ発光装置において、
最も前記ＬＥＤから離れた前記蛍光体層である最外蛍光体層は、前記蛍光体層に混合されている蛍光体のうち、励起可能な波長の最大値が最も小さい蛍光体が混合されており、  前記最外蛍光体層の厚さおよび蛍光体濃度は、前記最外蛍光体層よりも前記ＬＥＤ側の前記蛍光体層の外光による発光が、前記最外蛍光体層を透過しない値に設定されている、
ことを特徴とするＬＥＤ発光装置。
【請求項２】
前記ＬＥＤの発光波長のピークは、３７０〜４５０ｎｍであることを特徴とする請求項１に記載のＬＥＤ発光装置。
【請求項３】
前記最外蛍光体層の外観色は白色であることを特徴とする請求項１または請求項２に記載のＬＥＤ発光装置。
【請求項４】
最も低い励起波長の蛍光体は、青色蛍光体であることを特徴とする請求項１ないし請求項３のいずれか１項に記載のＬＥＤ発光装置。
【請求項５】
前記ＬＥＤ発光装置は白色発光であることを特徴とする請求項１ないし請求項４のいずれか１項に記載のＬＥＤ発光装置。
【発明の詳細な説明】
【技術分野】
【０００１】
本発明は、ＬＥＤと発光波長の異なる複数の蛍光体を用いてＬＥＤの発光波長とは異なる発光色とするＬＥＤ発光装置に関する。
【背景技術】
【０００２】
従来より、白色発光のＬＥＤ発光装置として、紫外発光のＬＥＤと、紫外光によって励起されて青色光、緑色光もしくは黄色光、赤色光をそれぞれ発光する３種の蛍光体とを組み合わせた発光装置が知られている。
【０００３】
特許文献１には、ＬＥＤに近い順に青色蛍光体層、緑色蛍光体層、赤色蛍光体層として蛍光体層を積層させた構造の発光装置が示されている。蛍光体を種類ごとに積層し、その積層順をこのような順とすることで、色バランスの調整が容易となる旨の記載がある。
【０００４】
また、特許文献２には、ＬＥＤに近い順に赤色蛍光体層、緑色蛍光体層、青色蛍光体層として蛍光体層を積層させた構造の発光装置が示されている。赤色蛍光体層を緑色蛍光体層や青色蛍光体層よりもＬＥＤに近い側とすることで、赤色光を十分な光量とすることができ、良好な色バランスとすることができる。また、青色蛍光体層をＬＥＤから最も遠い側に配置しているので、青色蛍光体層による青色光が赤色蛍光体層によって吸収されることがなく、赤色蛍光体層、緑色蛍光体層による赤色光、緑色光によって青色蛍光体層が励起されることもないため、光取り出し効率を向上させることができる。
【特許文献１】特開２００４−２２８４６４
【特許文献２】特開２００７−１３４６５６
【発明の開示】
【発明が解決しようとする課題】
【０００５】
しかし、特許文献１、２などに示された従来の白色発光のＬＥＤ発光装置では、消灯時には太陽光などの外光によって蛍光体が励起されて発光し、蛍光体層の外観が黄色、オレンジ色などの色を呈していた。そのため、発光色と外観色が異なり、外観品質が非常に低くなっていた。
【０００６】
そこで本発明の目的は、消灯時の外観色の制御が容易なＬＥＤ発光装置を提供することにある。
【課題を解決するための手段】
【０００７】
第１の発明は、ＬＥＤと、複数の積層された蛍光体層とを有し、蛍光体層の発光色がそれぞれ異なるＬＥＤ発光装置において、最もＬＥＤから離れた蛍光体層である最外蛍光体層は、蛍光体層に混合されている蛍光体のうち、励起可能な波長の最大値が最も小さい蛍光体が混合されており、最外蛍光体層の厚さおよび蛍光体濃度は、最外蛍光体層よりもＬＥＤ側の蛍光体層の外光による発光が、最外蛍光体層を透過しない値に設定されている、ことを特徴とするＬＥＤ発光装置である。
【０００８】
ＬＥＤの発光波長のピークは、３７０〜４５０ｎｍの範囲であることが望ましい。３７０ｎｍのより短波長のＬＥＤは量子効率が低く、ＬＥＤ発光装置の効率が低下してしまう。また、４５０ｎｍより長波長のＬＥＤでは、ＬＥＤの発光色自体が発光装置の発光色に大きく影響を及ぼすことになり、また青色蛍光体を励起させることができないため、蛍光体によってＬＥＤの発光色を変換して発光装置の発光色を所望の色にすることが難しくなる。
【０００９】
蛍光体層は、シリコーン樹脂、エポキシ樹脂、ガラスなどに蛍光体を混合し分散させたものである。蛍光体層には異なる種類の蛍光体を複数混合してもよく、用いる蛍光体に励起可能な波長の最大値が最も小さい蛍光体が複数ある場合には、最外蛍光体層にそれら複数の蛍光体を混合してもよい。
【００１０】
なお、「外光」とは、太陽光下、蛍光灯下などの照明下の意味であり、数値でいえば、炎天下の直射日光下での照度である１０００００ルクス以下の照明下を指すものである。たとえば、蛍光体照明の場合、２０００〜３０００ルクスである。
【００１１】
励起可能な波長の最大値が最も小さい蛍光体の、励起波長の最大値としては、たとえば４５０ｎｍ以下である。
【００１２】
また、最外蛍光体層の厚さおよび蛍光体濃度を、最外蛍光体層よりもＬＥＤ側の蛍光体層の外光による発光が、最外蛍光体層を透過しない値、としているが、最外蛍光体層の厚さをこれよりも厚くまたは蛍光体濃度を高くして、外光が最外蛍光体層よりもＬＥＤ側の蛍光体層に届かないようにしてもよい。
【００１３】
第２の発明は、第１の発明において、ＬＥＤの発光波長のピークは、３７０〜４５０ｎｍであることを特徴とするＬＥＤ発光装置である。
【００１４】
第３の発明は、第１の発明または第２の発明において、最外蛍光体層の外観色は白色であることを特徴とするＬＥＤ発光装置である。
【００１５】
第４の発明は、第１の発明から第３の発明において、最も低い励起波長の蛍光体は、青色蛍光体であることを特徴とするＬＥＤ発光措置である。
【００１６】
第５の発明は、第１の発明から第４の発明において、ＬＥＤ発光装置は白色発光であることを特徴とするＬＥＤ発光装置である。
【発明の効果】
【００１７】
本発明によると、外光によって内側の蛍光体層が励起されて発光しても、その発光によって最外蛍光体層が励起されて発光することはなく、また内側の蛍光体層の発光は最外蛍光体層に吸収されて透過しないため、ＬＥＤ発光装置の蛍光体層の外観色を最外蛍光体層の外観色とすることができる。そのため、ＬＥＤ発光装置の消灯時の外観色の制御が容易となる。特に、白色発光のＬＥＤ発光装置の場合、発光していないときの外観色を白色にして一致させることができるため、外観品質を向上させることができる。
【発明を実施するための最良の形態】
【００１８】
以下、本発明の具体的な実施例について図を参照に説明するが、本発明は実施例に限定されるものではない。
【実施例１】
【００１９】
図１は、実施例１のＬＥＤ発光装置１の構成を示した図である。ＬＥＤ発光装置１は、ＬＥＤ１０と、実装基板１１と、ケース１２と、蛍光体層１３と、によって構成されている。
【００２０】
ＬＥＤ１０は、III 族窒化物半導体からなる紫外発光素子である。ＬＥＤ１０は、配線パターン（図示しない）が形成された実装基板１１上に実装されている。ＬＥＤ１０には従来より知られている種々の構造のものを採用することができ、実装方式はワイヤボンディング方式でもよいし、フリップチップ方式でもよい。また、III 族窒化物半導体以外の材料からなる紫外発光素子であってもよい。
【００２１】
また、ＬＥＤ１０は実装基板１１上に配置されたケース１２によって周囲を囲われていて、ケース１２のＬＥＤ１０側側面１２ａは上部に向かって開口が広がるよう傾斜している。そのケース１２と実装基板１１による凹部の内側には透光性部材１４が形成されていて、ＬＥＤ１０を封止している。透光性部材１４は、たとえばシリコーン樹脂であり、硫酸バリウムなどの拡散材を混合して面発光に近い配光特性が得られるようにしてもよい。透光性部材１４を設けることにより、ＬＥＤ１０の発光による熱が蛍光体層１３に伝導、拡散し、蛍光体の変換効率が低下してしまうのを抑制することができる。
【００２２】
蛍光体層１３は、シリコーン樹脂に蛍光体を混合させたものであり、黄色蛍光層１３ａ、赤色蛍光体層１３ｂ、青色蛍光体層１３ｃの３層によって構成されている。この蛍光体層１３は、ＬＥＤ１０を封止する透光性部材１４上に平板状に形成されており、ＬＥＤ１０に近い方から黄色蛍光層１３ａ、赤色蛍光体層１３ｂ、青色蛍光体層１３ｃの順に積層されている。青色蛍光体層１３ｃは、本発明の最外蛍光体層に相当している。
【００２３】
黄色蛍光体層１３ａに混合される黄色蛍光体には、化学式（Ｓｒ，Ｂａ）2 ＳｉＯ4 ：Ｅｕ、で表わされる蛍光体を用いた。この黄色蛍光体は、波長５２０ｎｍ以下の光によって励起されて黄色光を発光する。
【００２４】
赤色蛍光体層１３ｂに混合される赤色蛍光体には、化学式（Ｓｒ，Ｃａ）ＡｌＳｉＮ3 ：Ｅｕ、で表わされる蛍光体を用いた。この赤色蛍光体は、波長５５０ｎｍ以下の光によって励起されて赤色光を発光する。
【００２５】
青色蛍光体層１３ｃに混合される青色蛍光体には、化学式ＢａＭｇＡｌ10Ｏ17：Ｅｕ、で表わされる蛍光体を用いた。この青色蛍光体は、波長４３０ｎｍ以下の光によって励起されて青色光を発光する。青色蛍光体層１３ｃの外観色は白色である。
【００２６】
このように、蛍光体層１３に用いられている黄色蛍光体、赤色蛍光体、青色蛍光体のうち、励起可能な波長の最大値が最も小さい蛍光体は青色蛍光体であり、青色蛍光体の混合された青色蛍光体層１３ｃが最もＬＥＤ１０から離れた側に形成されている。
【００２７】
青色蛍光体層１３ｃの厚さ、および蛍光体濃度は、外光によって黄色蛍光体層１３ａ、赤色蛍光体層１３ｂが励起されて黄色光、赤色光を発した場合に、その黄色光、赤色光が青色蛍光体層１３ｃを透過しない値に設定されている。たとえば厚さ０．５ｍｍでは蛍光体濃度を２０ｗｔ％、厚さ１．０ｍｍでは蛍光体濃度を１０Ｗｔ％とすればよい。
【００２８】
一般に、外側の蛍光体層の厚さをｄ（ｍｍ）、蛍光体層の蛍光体濃度をｗ（ｗｔ％）とした場合、ｄ×ｗの値を一定とすれば蛍光体層の吸収率が一定となり、ｄ×ｗ≧１０の関係を満たすようにすれば、外光によって内側の蛍光体層が励起されても、その発光が外側の蛍光体層を透過しないようにすることができる。
【００２９】
このＬＥＤ発光装置１は、ＬＥＤ１０の発する紫外光によって黄色蛍光層１３ａ、赤色蛍光体層１３ｂ、青色蛍光体層１３ｃを励起させて黄色光、赤色光、青色光を発光させ、これらを混色させることによって白色発光を得る発光装置である。蛍光体層１３が、黄色蛍光層１３ａ、赤色蛍光体層１３ｂ、青色蛍光体層１３ｃの順に積層された構造であるため、青色蛍光体層１３ｃによる青色光が黄色蛍光層１３ａ、赤色蛍光体層１３ｂによって吸収、励起されることがないため、発光効率の低下を防ぐことができ、色バランスを容易に調整することができる。
【００３０】
ＬＥＤ発光装置１の消灯時においては、蛍光体層１３の外観色は白色である。これは、外光によって黄色蛍光層１３ａ、赤色蛍光体層１３ｂが励起されて発光しても、その発光は青色蛍光体層１３ｃを励起せず、青色蛍光体層１３ｃによって吸収されるため、あるいは反射されることによって青色蛍光体層１３ｃよりも内側に反射されるため、蛍光体層１３の外観色が青色蛍光体層１３ｃの外観色である白色となるからである。ＬＥＤ発光装置１の発光色と、消灯時の蛍光体層１３の外観色が白色で一致しているため、ＬＥＤ発光装置１は外観品質の高いものとなっている。
【００３１】
以上のように、ＬＥＤ発光装置１消灯時の蛍光体層１３の外観色は、最外蛍光体層である青色蛍光体層１３ｃの外観色によって決まり、黄色蛍光体層１３ａ、赤色蛍光体層１３ｂの外観色には依らない。そのため、最外蛍光体層の外観色の制御によって容易に蛍光体層１３の外観色を決定することができる。
【実施例２】
【００３２】
実施例２のＬＥＤ発光装置２は、図２に示すように、実施例１のＬＥＤ発光装置１において蛍光体層１３を蛍光体層２３に替えたものである。蛍光体層２３は、黄色蛍光体と赤色蛍光体が混合された蛍光体層２３ａと、青色蛍光体が混合された青色蛍光体層２３ｂの２層によって構成されていて、ＬＥＤ１０に近い側から蛍光体層２３ａ、青色蛍光体層２３ｂの順に積層されている。青色蛍光体層２３ｂは、本発明の最外蛍光体層に相当するものである。黄色蛍光体、赤色蛍光体、青色蛍光体はいずれも実施例１で用いたものと同一である。
【００３３】
青色蛍光体層２３ｂの厚さ、および蛍光体濃度は、外光によって蛍光体層２３ａが励起されて黄色光、赤色光を発した場合に、その黄色光、赤色光が青色蛍光体層２３ｂを透過しない値に設定されている。
【００３４】
ＬＥＤ発光装置２は、ＬＥＤ１０の発する紫外光によって蛍光体層２３ａ、青色蛍光体層２３ｂを励起させて黄色光、赤色光、青色光を発光させ、これらを混色させることによって白色発光を得る発光装置である。ＬＥＤ発光装置２の消灯時における蛍光体層２３の外観色は、実施例１と同様の理由により白色である。したがって、ＬＥＤ発光装置２の発光色と、消灯時の蛍光体層２３の外観色は白色で一致しており、実施例１のＬＥＤ発光装置１と同様に外観品質の高いものとなっている。
【００３５】
このように、黄色蛍光体は赤色光によって励起されず、赤色蛍光体は黄色光によって励起されないため、実施例１のように、黄色蛍光体層と赤色蛍光体層の２層としてもよいし、実施例２のように、黄色蛍光体と赤色蛍光体の双方を混合した蛍光体層の１層としてもよい。
【実施例３】
【００３６】
実施例３のＬＥＤ発光装置３は、図３に示すように、実施例１のＬＥＤ発光装置１において蛍光体層１３を蛍光体層３３に替えたものである。
【００３７】
蛍光体層３３は、黄色蛍光体と緑色蛍光体が混合された蛍光体層３３ａと、赤色蛍光体と青色蛍光体が混合された蛍光体層３３ｂの２層によって構成されていて、ＬＥＤ１０に近い側から蛍光体層３３ａ、蛍光体層３３ｂの順に積層されている。蛍光体層３３ｂは、本発明の最外蛍光体層に相当するものである。黄色蛍光体と青色蛍光体は実施例１で用いたものと同一である。緑色蛍光体は、黄色蛍光体と同一の化学式で表わされ、その組成割合が黄色蛍光体とは異なるものを用いた。この緑色蛍光体は、波長５００ｎｍ以下の光によって励起されて緑色光を発光する。赤色蛍光体には、化学式Ｂａ3 ＭｇＳｉ2 Ｏ8 ：Ｅｕ，Ｍｎ、で表わされる蛍光体を用いた。この赤色蛍光体は、波長４３０ｎｍ以下の光によって励起されて赤色光を発光する。蛍光体層３３に用いられている黄色蛍光体、緑色蛍光体、赤色蛍光体、青色蛍光体のうち、励起可能な波長の最大値が最も小さい蛍光体は青色蛍光体と赤色蛍光体である。
【００３８】
蛍光体層３３ｂの厚さ、および蛍光体濃度は、外光によって蛍光体層３３ａが励起されて黄色光、緑色光を発した場合に、その黄色光、緑色光が蛍光体層３３ｂを透過しない値に設定されている。また、蛍光体層３３ｂの外観色は白色である。
【００３９】
ＬＥＤ発光装置３は、ＬＥＤ１０の発する紫外光によって蛍光体層３３ａ、蛍光体層３３ｂを励起させて黄色光、緑色光、赤色光、青色光を発光させ、これらを混色させることによって白色発光を得る発光装置である。ＬＥＤ発光装置３の消灯時における蛍光体層３３の外観色は、実施例１と同様の理由により白色である。したがって、ＬＥＤ発光装置３の発光色と、消灯時の蛍光体層３３の外観色は白色で一致しており、実施例１のＬＥＤ発光装置１と同様に外観品質の高いものとなっている。
【００４０】
この実施例３のように、用いる蛍光体のうち、励起可能な波長の最大値が最も小さい蛍光体が複数ある場合には、それら複数の蛍光体を混合した蛍光体層を最外蛍光体層とすることができる。
【実施例４】
【００４１】
実施例４のＬＥＤ発光装置４は、図４に示すように、実施例１のＬＥＤ発光装置１において蛍光体層１３を蛍光体層４３に替えたものである。
【００４２】
蛍光体層４３は、オレンジ色蛍光体が混合されたオレンジ色蛍光体層４３ａと、青色蛍光体が混合された青色蛍光体層４３ｂの２層によって構成されていて、ＬＥＤ１０に近い側からオレンジ色蛍光体層４３ａ、青色蛍光体層４３ｂの順に積層されている。青色蛍光体層４３ｂは、本発明の最外蛍光体層に相当している。青色蛍光体は実施例１で用いたものと同一である。オレンジ色蛍光体には、化学式（Ｓｒ，Ｃａ，Ｂａ）2 ＳｉＯ4 ：Ｅｕ、で表わされる蛍光体を用いた。このオレンジ色蛍光体は、波長５２０ｎｍ以下の光によって励起されてオレンジ色光を発光する。
【００４３】
青色蛍光体層４３ｂの厚さ、および蛍光体濃度は、外光によってオレンジ色蛍光体層４３ａが励起されてオレンジ色光を発した場合に、そのオレンジ色光が青色蛍光体層４３ｂを透過しない値に設定されている。
【００４４】
ＬＥＤ発光装置４は、ＬＥＤ１０の発する紫外光によってオレンジ色蛍光体層４３ａ、青色蛍光体層４３ｂを励起させてオレンジ色光、青色光を発光させ、これらを混色させることによって赤橙色発光を得る発光装置である。ＬＥＤ発光装置４の消灯時における蛍光体層４３の外観色は、実施例１と同様の理由により白色であり、最外蛍光体層である青色蛍光体層４３ｂの外観色によって蛍光体層４３の外観色が制御可能となっている。
【実施例５】
【００４５】
実施例５のＬＥＤ発光装置５は、図５に示すように、実施例１のＬＥＤ発光装置１において蛍光体層１３を蛍光体層５３に替えたものである。
【００４６】
蛍光体層５３は、緑色蛍光体が混合された緑色蛍光体層５３ａと、青色蛍光体が混合された青色蛍光体層５３ｂの２層によって構成されていて、ＬＥＤ１０に近い側から緑色蛍光体層５３ａ、青色蛍光体層５３ｂの順に積層されている。青色蛍光体層５３ｂは、本発明の最外蛍光体層に相当している。青色蛍光体は実施例１で用いたものと同一であり、緑色蛍光体は実施例３で用いたものと同一である。
【００４７】
青色蛍光体層５３ｂの厚さ、および蛍光体濃度は、外光によって緑色蛍光体層５３ａが励起されて緑色光を発した場合に、その緑色光が青色蛍光体層４３ｂを透過しない値に設定されている。
【００４８】
ＬＥＤ発光装置５は、ＬＥＤ１０の発する紫外光によって緑色蛍光体層５３ａ、青色蛍光体層５３ｂを励起させて緑色光、青色光を発光させ、これらを混色させることによって薄水色の発光を得る発光装置である。ＬＥＤ発光装置４の消灯時における蛍光体層５３の外観色は、実施例１と同様の理由により白色であり、最外蛍光体層である青色蛍光体層５３ｂの外観色によって蛍光体層５３の外観色が制御可能となっている。
【００４９】
なお、いずれの実施例でも蛍光体層は平板状に積層した構造としているが、ＬＥＤを中心とした厚さの均一な球殻状に蛍光体層を積層させた構造としてもよい。たとえば図６は、ケース１２に囲われた凹部に、透光性部材６４を表面が球面状となるように形成してＬＥＤ１０を封止し、その透光性部材６４上に球殻状の蛍光体層６３ａ、６３ｂを順に形成した例である。また図７は、ケース１２を用いずに、透光性部材７４を半球状に形成してＬＥＤ１０を封止し、透光性部材７４上に球殻状の蛍光体層７３ａ、７３ｂを順に形成した例である。このように厚さの均一な球殻状に蛍光体層を積層させると、ＬＥＤから各蛍光体層までが等距離となり、色度の視野角依存性を軽減することができる。
【００５０】
また、いずれの実施例でも、透光性部材によってＬＥＤを封止し、透光性部材上に蛍光体層を設ける構造としているが、透光性部材は必ずしも必要ではない。たとえば実施例２において、透光性部材１４を設けずに蛍光体層２３ａによって直接ＬＥＤ１０を封止してもよい（図８参照）。
【００５１】
また、各実施例では、ＬＥＤを紫外発光のものとしたが、発光波長はこれに限定されるものではない。ただし、発光波長のピークは３７０〜４５０ｎｍの範囲であることが望ましい。３７０ｎｍより短波長のＬＥＤは量子効率が低く、ＬＥＤ発光装置の効率が低下してしまうからである。また、４５０ｎｍより長波長のＬＥＤでは、ＬＥＤの発光色自体が発光装置の発光色に大きく影響を及ぼすことになり、また青色蛍光体を励起させることができないため、蛍光体によってＬＥＤの発光色を変換して発光装置の発光色を所望の色にすることが難しくなる。
【００５２】
また、いずれの実施例でも最外蛍光体層は青色蛍光体を含むものとしているが、用いる蛍光体のうち、励起可能な波長の最大値が最も小さい蛍光体であれば、青色以外の蛍光体を混合した蛍光体層であってもよい。
【００５３】
また、いずれの実施例でも最外蛍光体層の外観色は白色としているが、白色に限るものではない。
【００５４】
また、ＬＥＤ発光装置のパッケージ構造は各実施例に示した表面実装型の構造に限るものではなく、砲弾型などのパッケージ構造に対しても本発明を適用することができる。
【００５５】
また、実施例１〜３のＬＥＤ発光装置は白色発光、実施例４のＬＥＤ発光装置は赤橙色発光、実施例５のＬＥＤ発光装置は薄水色発光であったが、これら以外の発光色であってもよい。
【００５６】
また、上記全実施例において、最外蛍光体層の厚さは、０．２〜５ｍｍの範囲とし、最外蛍光体層の蛍光体濃度は、２〜５０ｗｔ％としている。
【００５７】
最外蛍光体層の厚さが０．２ｍｍよりも薄いと、最外蛍光体層を十分に励起させるためだけの蛍光体粒子を存在させることができなくなる。また、膜厚のばらつきによって、外光による内側蛍光体層（最外蛍光体層よりもＬＥＤ側の蛍光体層）の発光が最外蛍光体層を透過してしまい、外観職にむらを生じるため望ましくない。また、最外蛍光体層の厚さが５ｍｍよりも厚いと、蛍光体粒子の密度を均一化して層形成することが困難になり、さらにＬＥＤ発光装置のサイズが大きすぎて高コストとなるため望ましくない。より望ましい最外蛍光体層の厚さは、０．３〜１ｍｍの範囲である。
【００５８】
また、最外蛍光体層の蛍光体濃度が２ｗｔ％より小さいと、蛍光体粒子の存在しない領域が大きくなるため、外光による内側蛍光体層のはっ降雨が透過し、所望の外観色が得られなくなるため望ましくない。また、最外蛍光体層の蛍光体濃度が５０ｗｔ％より大きいと、蛍光体粒子自体の吸収、反射、および散乱の効果が顕在化してしまい、蛍光体層の発光がＬＥＤ発光装置から外部へ放射されにくくなり、発光効率の低下を招くため望ましくない。より望ましい最外蛍光体層の蛍光体濃度は、１０〜３０ｗｔ％の範囲である。
【００５９】
また、いずれの実施例においても、最外蛍光体層の厚さおよび蛍光体濃度を、内側蛍光体層の外光による発光が最外蛍光体層を透過しない値、としているが、最外蛍光体層の厚さをこれよりも厚くまたは蛍光体濃度を高くして、外光が内側蛍光体層に届かないようにしてもよい。
【産業上の利用可能性】
【００６０】
本発明のＬＥＤ発光装置は、照明や表示等に用いることができる。
【図面の簡単な説明】
【００６１】
【図１】実施例１のＬＥＤ発光装置１の構成を示す図。
【図２】実施例２のＬＥＤ発光装置２の構成を示す図。
【図３】実施例３のＬＥＤ発光装置３の構成を示す図。
【図４】実施例４のＬＥＤ発光装置４の構成を示す図。
【図５】実施例５のＬＥＤ発光装置５の構成を示す図。
【図６】他の実施例のＬＥＤ発光装置の構成を示す図。
【図７】他の実施例のＬＥＤ発光装置の構成を示す図。
【図８】他の実施例のＬＥＤ発光装置の構成を示す図。
【符号の説明】
【００６２】
１、２、３、４、５：ＬＥＤ発光装置
１０：ＬＥＤ
１１：実装基板
１２：ケース
１３、２３、３３、４３、５３：蛍光体層
１３ａ：黄色蛍光体層
１３ｂ：赤色蛍光体層
１３ｃ：青色蛍光体層
【図１】
2010087267.tif 000003
【図２】
2010087267.tif 000004
【図３】
2010087267.tif 000005
【図４】
2010087267.tif 000006
【図５】
2010087267.tif 000007
【図６】
2010087267.tif 000008
【図７】
2010087267.tif 000009
【図８】
2010087267.tif 000010